(57)【要約】
【課題】情報シートが移動、紛失することがないと共に破損、汚染がなく、情報シートの差し替えが可能で、情報シート配置付近に汚れが生ずることがない情報シートプロテクターを提供すること。
【解決手段】透明シート１よりなると共に裏側面の周縁部分には繰り返し貼着が可能な接着部分２を有し、該接着部分２に囲まれた中央部には情報シート４を配置する非接着性スペース１１を有してなる情報シートプロテクター。上記情報シートプロテクターは、上記接着部分を床面に貼着するものであってもよい。
【選択図】図１
0003099576.tif 000002
【実用新案登録請求の範囲】
【請求項１】
　透明シートよりなると共に裏側面の周縁部分には繰り返し貼着が可能な接着部分を有し、該接着部分に囲まれた中央部には情報シートを配置する非接着性スペースを有してなることを特徴とする情報シートプロテクター。
【請求項２】
　請求項１において、上記情報シートプロテクターは、上記接着部分を床面に貼着するものであることを特徴とする情報シートプロテクター。
【請求項３】
　請求項２において、上記透明シートは、その表側面に滑り防止処理が施されていることを特徴とする情報シートプロテクター。
【請求項４】
　請求項１〜３のいずれか一項において、上記透明シートは、その裏側面の全面に、上記情報シートを配置するまでの間裏側面を保護するための離型シートが、上記接着部分に仮貼着されていることを特徴とする情報シートプロテクター。
【請求項５】
　請求項１〜４のいずれか一項において、上記接着部分は、貼着と剥離を繰り返すことが可能な再貼着剥離のりであることを特徴とする情報シートプロテクター。
【考案の詳細な説明】
【技術分野】
【０００１】
　本考案は、床面、カウンターテーブル、机、壁、柱等の盤面上に貼着して用いる、情報シート保護用の情報シートプロテクターに関する。
【背景技術】
【０００２】
　デパート、スーパーストア、コンビニエンスストア等における売場には各種の広告表示がなされる。
　そして、広告紙や、ポスター、価格表等の情報シートは、買物代金を清算するためのカウンターテーブル（レジスター台）や、支払い後の買物品を袋詰めする机などに貼着されることがある。
　しかし、このように単に貼着するものでは、短期間の間に破損したり、汚染したりすることが多い。
　そこで、特許文献１に示されるように、情報シートをプラスチックスの透明ケースに挟み込んで使用することが考えられる。
【特許文献１】特許第２８９８５６４号公報
【考案の開示】
【考案が解決しようとする課題】
【０００３】
　しかしながら、上記特許文献１に示されるものでは、透明ケースが滑り落ちたり紛失することがある。
　そこで、この透明ケースをカウンターテーブル等に粘着テープで固定することが行なわれている。しかし、この場合でも、情報シートを取り替えようとすると粘着テープを剥がさねばならないし、またその際粘着テープの一部分がカウンターテーブル上に残り、カウンターテーブルが汚されてしまう。
　また、粘着テープが貼着されていた周囲にゴミが付着して容易に取り除けない。また、同様に透明ケース表面において粘着テープが貼着されていた周囲部分も汚れてしまうと共に上記と同様にゴミが付着し容易に取り除けない。
【０００４】
　本考案は、かかる従来の問題点に鑑み、情報シートが移動、紛失することがないと共に破損、汚染がなく、情報シートの差し替えが可能で、情報シート配置付近に汚れが生ずることがない情報シートプロテクターを提供しようとするものである。
【課題を解決するための手段】
【０００５】
　本考案は、透明シートよりなると共に裏側面の周縁部分には繰り返し貼着が可能な接着部分を有し、該接着部分に囲まれた中央部には情報シートを配置する非接着性スペースを有してなることを特徴とする情報シートプロテクターである（請求項１）。
【０００６】
　本考案の情報シートプロテクターは、透明シートの裏側面における上記非接着性スペースに広告紙等の情報シートを配置して、カウンターテーブル、床面、柱、壁面等の盤面に上記接着部分を貼着する。
　そして、情報シートプロテクターは、情報シートを内包したまま、盤面に貼着固定される。そのため、情報シートが移動、紛失することがない。
【０００７】
　また、情報シートはその表側面は上記透明シートにより覆われ、裏側面はカウンターテーブル、床面等の盤面によって覆われ、また情報シートの外周は透明シートの周縁部分に設けた接着部分によって覆われる。
　そのため、情報シートは破損、汚染することがない。
【０００８】
　また、上記情報シートプロテクターの接着部分は、繰り返し貼着可能であるため、必要に応じて広告紙等の情報シートを自由に差し替えできる。そのため、例えばデパート等において、催物案内の変更、特売セールス案内の変更など１週間毎或いは数日間で情報シートを差し替える場合にも、非常に便利である。
【０００９】
　また、情報シートプロテクターの接着部分は、貼着、剥離を繰り返すことが可能な接着剤を用いているので、カウンターテーブル、床面等の盤面に接着剤が残存することがなく、ゴミ付着などの汚れが生じない。このような接着剤としては、例えばウレタン樹脂系、アクリル樹脂系の接着剤が知られている。
【００１０】
　したがって、本考案によれば情報シートが移動、紛失することがないと共に破損、汚染がなく、情報シートの差し替えが可能で、情報シート配置付近に汚れが生ずることがない情報シートプロテクターを提供することができる。
【考案を実施するための最良の形態】
【００１１】
　請求項１において、上記透明シートとしては、ＰＥＴ（ポリエチレン・テレフタレート）、ポリプロピレン、アクリル、ポリエチレン、ナイロン、ポリカーボネート等の透明な合成樹脂シートがある。
　また、情報シートプロテクターを貼着する相手としては、上記のごとく商品代金支払い場所であるカウンターテーブル、売場の床面、机、柱面、壁面、窓ガラスなどの盤面がある。
　また、上記情報シートとしては、広告紙、ポスター、料金表、道順案内、注意書きなど、種々の情報を記入したものがある。
【００１２】
　次に、上記情報シートプロテクターは、上記接着部分を床面に貼着するものであることが好ましい（請求項２）。
　情報シートプロテクターを床面に貼着する場合には、売場の客に対して、例えば特産品コーナーへの道順案内用としての情報シート、或いは特別セールス案内、催し物案内等の広告紙としての情報シート等として利用することができ、人目に付き広告として広告効果が向上する。
【００１３】
　次に、上記透明シートは、その表側面に滑り防止処理が施されていることが好ましい（請求項３）。
　この場合には、歩行者が情報シートプロテクターの上を歩いた場合に足を滑らせることがなく、安全である。
　また、上記滑り防止処理としては、透明シートの表側面に梨地模様などの凹凸表面を形成したり、表側面にウレタン樹脂などの滑り防止剤をコーティングするなどの手段がある。
【００１４】
　次に、上記透明シートは、その裏側面の全面に、上記情報シートを配置するまでの間裏側面を保護するための離型シートが、上記接着部分に仮貼着されていることが好ましい（請求項４）。
　この場合には、情報シートを配置して、情報シートプロテクターを、盤面に貼着するまでの間、情報シートプロテクターの裏側面を清浄な状態に保持することができると共に、情報シートプロテクターの保管搬送に便利である。
【００１５】
　次に、上記接着部分は、貼着と剥離を繰り返すことが可能な再貼着剥離のりであることが好ましい（請求項５）。
　この場合には、剥離、貼着を繰り返すことができ、情報シートの差し替えが便利である。このような再貼着剥離のりとしては、ウレタン樹脂系、アクリル樹脂系などの非添着系糊がある。
【実施例】
【００１６】
（実施例１）
　本考案の実施例にかかる情報シートプロテクターにつき、図１〜図３を用いて説明する。
　図１、図２に示すごとく、本例の情報シートプロテクター１０は、透明シート１よりなると共に裏側面の周縁部分には繰り返し貼着が可能な接着部分２を有し、該接着部分２に囲まれた中央部には情報シートを配置する非接着性スペース１１を有してなる。
【００１７】
　また、図１、図３（ａ）に示すごとく、上記透明シート１は、その裏側面の全面に、上記情報シートを配置するまでの間裏側面を保護するための離型シート３が、上記接着部分２に仮貼着されている。
　上記接着部分２は、貼着と剥離を繰り返すことが可能な再貼着剥離のりを用いている。
【００１８】
　そして、本例においては、上記情報シートは広告紙であり、そこには「特別セール、８月７日〜１５日」の情報が印刷してある。
　上記情報シート４を情報シートプロテクター１０に装着するに当っては、図３（ｂ）に示すごとく、透明シート１の裏側面、周縁部に貼着してある離型シート３を剥離し、次いで、図１に示すごとく、情報シートプロテクター１０の非接着性スペース１１に情報シート４を位置させる。
【００１９】
　次いで、これらを、図２に示すごとく、盤面としてのカウンターテーブル５の上面に置いて、上記接着部分２をカウンターテーブル５に貼着する。
　これにより、情報シート３は情報シートプロテクター１０によってカウンターテーブル５の上に貼着、固定される。
　なお、本例において、上記透明シート１としては、厚み約０．１５ｍｍのＰＥＴ樹脂シート、上記接着部分は接着剤としてのアクリル系の非添着系糊を厚み約３０μｍに塗布して用いた。
【００２０】
　上記のごとく、情報シートプロテクター１０は、情報シート４を内包したまま、盤面としてのカウンターテーブル５に貼着固定される。そのため、情報シート４が移動、紛失することがない。
　また、情報シート４はその表側面は上記透明シート１により覆われ、裏側面はカウンターテーブル５によって覆われ、また情報シート４の外周は透明シート１の周縁部分に設けた接着部分２によって覆われる。
　そのため、情報シートは破損、汚染することがない。
【００２１】
　また、上記情報シートプロテクター１０の接着部分２は、繰り返し貼着可能であるため、必要に応じて広告紙等の情報シートを自由に差し替えできる。そのため、例えばデパート等において、催物案内の変更、特売セールス案内の変更などの場合に、情報シート４を差し替える場合に非常に便利である。
【００２２】
　また、情報シートプロテクター１０の接着部分２は、貼着、剥離を繰り返すことが可能な接着剤を用いているので、カウンターテーブルに接着剤が残存することがなく、ゴミ付着などの汚れが生じない。
　したがって、本例によれば情報シートが移動、紛失することがないと共に破損、汚染がなく、情報シートの差し替えが可能で、情報シート配置付近に汚れが生ずることがない情報シートプロテクター１０を提供することができる。
【００２３】
　また、上記透明シート１は、その裏側面の全面に、上記情報シート４を配置するまでの間裏側面を保護するための離型シート３が、上記接着部分２に仮貼着されている。
　そのため、情報シート４を配置して盤面に貼着するまでの間、情報シートプロテクター１０の裏側面を清浄な状態に保持することができると共に、また情報シートプロテクターの保管搬送に便利である。
【００２４】
（実施例２）
　本例の情報シートプロテクターは、図４に示すごとく、上記接着部分２を床面に貼着するものであり、透明シート１の表面に滑り防止処理が施してある。
　即ち、情報シートプロテクター１０の透明シート１の表側面には、梨地模様の凹凸表面１５が設けてある。情報シートプロテクターの接着部分２は床面に貼着する。これにより歩行者が情報シートプロテクター１０の上を歩いた場合に足を滑らせるということもなく、安全である。
【図面の簡単な説明】
【００２５】
【図１】実施例１にかかる情報シートプロテクターの展開断面図。
【図２】実施例１にかかる情報シートプロテクターをカウンターテーブルに貼着した状態の平面図。
【図３】実施例１にかかる情報シートプロテクターの（ａ）断面図、（ｂ）離型シートを剥離する状態の断面図。
【図４】実施例２にかかる情報シートプロテクターの一部欠載拡大図。
【符号の説明】
【００２６】
　１　透明シート
　１０　情報シートプロテクター
　１１　非接着性スペース
　２　接着部分
　３　離型シート
　４　情報シート
【図１】
0003099576.tif 000003
【図２】
0003099576.tif 000004
【図３】
0003099576.tif 000005
【図４】
0003099576.tif 000006